(57)【要約】【課題】  本発明はモーター駆動による排気カバーの自動開閉機能を有したレンジフード付き高周波加熱装置に関するもので、モーターの回転運動を連結部品を固定しカバー開閉動作を行う機械的な構造を双方向性の一般的なモーターを利用しカムとレバーの連動動作で安定した開閉動作を実現すること。【解決手段】  カム３とレバー８とスイッチ10とバネ９と火災感知手段15を備え、連動運動とスイッチ動作を駆使しマイコン制御23でモーター２駆動することにより、円滑で安定したカバー１の自動開閉が可能となり、下方調理機器13での火災発生時でも火災感知手段15により循環ファン11動作停止や開放状態でカバー１を停止させ火災の類焼を最小限に留めたり、表示部23にカバー１開閉異常を表示できるので、安全性や耐久性や顧客満足度向上が実現できる。【選択図】  図２
2005077063.tif 000002
【特許請求の範囲】
【請求項１】
排気または吸気のための開口部と、前記開口部を覆うカバーとを有したレンジフード付き高周波加熱装置において、
被加熱物を収納する加熱室と、
被加熱物を加熱する加熱手段と、
前記加熱手段を冷却する冷却手段と、
前記カバーの開閉を行う開閉手段と、
前記カバーの開閉を制御する制御手段とを備え、
前記開閉手段は、モータ駆動に連動して前記カバーを開ける突き出し手段と、前記カバーを閉めるための押し付け手段とを有し、
前記カバーが所定位置に達したときにモータ駆動を停止させ、前記突き出し手段で前記カバーを開放状態とし、また前記カバーを開放された状態から閉める場合、モータ駆動を逆回転させると共に、前記押し付け手段によって前記カバーが閉まる構成としたレンジフード付き高周波加熱装置。
【請求項２】
排気または吸気のための開口部と、前記開口部を覆うカバーとを有したレンジフード付き高周波加熱装置において、
被加熱物を収納する加熱室と、
被加熱物を加熱する加熱手段と、
前記加熱手段を冷却する冷却手段と、
前記カバーの開閉を行う開閉手段と、
前記カバーの開閉を制御する制御手段とを備え、
前記開閉手段は、モータ駆動に連動して前記カバーを開ける突き出し手段と、前記カバーを閉めるための押し付け手段とを有し、
前記突き出し手段にカムを配設し、前記カバーを開閉させるために前記カムの回転運動に連動して所定位置に達したときにモータ駆動を停止させ開放状態とすると共に、前記カバーを開放された状態から閉める場合、前記カムは、前記カバーが所定位置に達した位置からさらにモータ駆動を開始することでカムが連動から外れてカバーが閉まる構成としたレンジフード付き高周波加熱装置。
【請求項３】
モータ駆動に連動して前記カバーを開ける突き出し手段は、循環ファン排気開口部に隣接し、かつカバー中央部の近くで排気口とは仕切られたスペースに配設する構成とした請求項１または２に記載のレンジフード付き高周波加熱装置。
【請求項４】
カバーを閉めるための押し付け手段は、カバー両端部に配設する構成とした請求項１、２または３に記載のレンジフード付き高周波加熱装置。
【請求項５】
開閉を行うモーターは、その回転動作方向をどちらでも自由とする双方向駆動を有し、レバーの一部がスイッチを押してモータ駆動を停止させるカバー開放手段と、カバー開放状態から冷却手段の動作停止情報をもとに、モータ駆動を再開することでレバーがカムの連動から外れてバネの力でカバーが閉じる押し付け手段を配した構成とした請求項１に記載のレンジフード付き高周波加熱装置。
【請求項６】
レバーは、本体構成部品に支持されカムの回転運動連動し開閉する上部開放口とを備え、開閉手段は、異常感知手段によって異常を感知した場合、循環ファン動作を停止させると共に、カバーが開放状態で静止する構成とした請求項1または２に記載のレンジフード付き高周波加熱装置。
【請求項７】
循環ファン動作中に外的要因により強制的にカバーが閉じられた時、前記スイッチがＯＦＦ状態となることで循環ファン動作を停止する構成とした請求項１または２に記載のレンジフード付き高周波加熱装置。
【請求項８】
循環ファン動作中に外的要因により強制的にカバーが閉じられた時、前記スイッチがＯＦＦ状態となり循環ファン動作を停止し機器動作状態表示部に開閉口カバーの開閉異常を知らせる表示を行う構成とした請求項７に記載のレンジフード付き高周波加熱装置。
【請求項９】
加熱手段動作中に外的要因により強制的にカバーが閉じられた時、前記スイッチがＯＦＦ状態となり加熱手段は動作を停止、又は加熱手段を制御することでカバー閉状態においても冷却能力が得られる程度の加熱出力に制御することが可能となる構成とした請求項１または２に記載のレンジフード付き高周波加熱装置。
【請求項１０】
加熱手段動作中に外的要因により強制的にカバーが閉じられた時、前記スイッチがＯＦＦ状態となり加熱手段は動作を停止、又は加熱出力を制御することで表示部にカバーの開閉異常に起因する加熱調理停止又は制御中であることを知らせる表示を行う構成とした請求項９に記載のレンジフード付き高周波加熱装置。
【発明の詳細な説明】
【技術分野】
【０００１】
本発明は、機器本体の下方に設置された他の加熱調理装置から発生する生成ガスを換気する機能を有し、前記生成ガスを機器本体から排気する排気口に備えた排気口カバーをモーター駆動により自動開閉する構成のレンジフード付き高周波加熱装置に関するものである。
【背景技術】
【０００２】
従来、排気口カバーは循環ファンとしての室内換気の必要性や、高周波加熱装置動作時の発熱部品冷却のための吸気口確保の必要性が生じた時に自動開閉を行い高い開口率を確保できるほか、非動作時には閉じた状態でフラットな外観を保つことができデザイン性向上やほこりやちりの侵入を防ぐことができる（たとえば、特許文献１参照）。
【０００３】
たとえば、その排気口カバーの開閉は回転方向を規制出来るステップモーターの動作を利用した機械的手段のみで構成されるものが主流であった。
【０００４】
図３は、従来構成の機器の排気口カバーの開閉を示すものである。
【０００５】
排気口カバー１と、自動開閉のためのモーター２と、モーター軸の回転をモーメントに変換するカム３と、カムと連結する部品に動力を伝えるためのカムに備えられたボス３−ａと、カムの回転運動を受ける排気カバーを構成する部品４と、  カムに備えられたボスと連結する排気カバー構成部品のスリット４ａと、排気口カバーの回転軸５と、排気開口部６と、機器から排気される排気風７とから構成される。
【特許文献１】ＵＳＰ６３３５５２１号公報
【発明の開示】
【発明が解決しようとする課題】
【０００６】
しかしながら前記従来の構成では排気口カバー部分とモーター軸部分とを一体となる形で連結する構成であり、カムに備えられているボスの一点にモ−ターの駆動力が全て加わるため力の伝達方向に無理を生じ連結稼動部分の耐久性が損なわれ信頼性確保が困難であったり、開閉頻度の大変多い排気口カバーにステップ(回転方向規制)モーターを使用するためにモーター自身の品質確保が困難であったり、また排気口カバーに外部から強制的な力を加え無理やり開閉を行った場合、一体化した連結構成のためにその力が過負荷としてモーターに直接伝わってしまいモーター故障の要因となるような製品品質上の課題があった。
【０００７】
本発明は、前記従来の課題を解決するもので、簡単な構成で安定した品質確保の実現や、製品組立時の大幅な作業性の改善が可能となり、コストパフォーマンスに優れた顧客の満足の安全で高品質なレンジフード付き高周波加熱装置を提供することを目的とする。
【課題を解決するための手段】
【０００８】
前記従来の課題を解決するために、本発明のモーター駆動による排気口カバーの自動開閉機能を備えたレンジフード付き高周波加熱装置は、開閉手段としてモータ駆動に連動してカバーを開ける突き出し手段と、カバーを閉めるための押し付け手段とを有し、カバーが所定位置に達したときにモータ駆動を停止させ、突き出し手段でカバーを開放状態とし、またカバーを開放された状態から閉める場合、モータ駆動を逆回転させると共に、押し付け手段によってカバーが閉まる構成にすることで、双方向性の一般的なモーターとその回転運動でカバーを押し開ける運動に変換するカムとレバーにより、事前に定めたカバーが最適開放位置に達した時に１個のマイクロスイッチが動作し制御部に信号を伝達する簡単な構成でカバー開閉を可能にし、モーターや開閉機構部品の耐久的信頼性向上や、開閉動作の安定性向上や、いたずらなどで強制的にカバーにかけられる外的応力に対応できる品質性確保や、前記カバー開閉異常発生時に電気部品の破損を保護するためにファンや加熱動作を制御したりカバー開閉異常を表示することで異常状態を知らせたり、組立性や製品コストを大幅に改善することを可能としたものである。
【０００９】
これによって、耐久的に信頼性の高いモーターを使用できその駆動力を円滑にカバー開閉運動に変換できる構造によって耐久性能及び品質安定性能の大幅な向上が可能となる。
【発明の効果】
【００１０】
本発明によれば、簡単な構成で円滑な安定した開閉動作を可能にし、安全性や耐久性能や外観品位の優れたレンジフード付高周波加熱装置が実現できる。
【発明を実施するための最良の形態】
【００１１】
第１の発明は、機器上部循環ファン排気口に備えられた通常時閉じられている状態の排気口カバーをモーター動力で開閉する際、モーター軸の回転を伝達するカムと、そのカムの回転動作を受けてカバーを開放するための突き出し手段であるレバーを備え、モーターの回転駆動時にその軸に連結したカムの回転をレバーがカバーを突き出し所定位置で静止開放する。
【００１２】
またカバー開放位置から再びモーターを逆回転駆動させレバーを引き込むと同時にカバーと本体機器とを連結するように備えられた押し付け手段であるバネの牽引力を利用しカバーを円滑に閉じることが可能となり、円滑で安定した開閉動作が実現できる。
【００１３】
第２の発明は、機器上部循環ファン排気口に備えられた通常時閉じられている状態の排気口カバーをモーター動力で開閉する際、モーター軸の回転を伝達するカムと、そのカムの回転動作を受けてカバーを開放するための突き出し手段であるレバーを備え、モーターの回転駆動時にその軸に連結したカムの回転をレバーがカバーを突き出し所定位置で静止開放する。
【００１４】
またカバー開放位置から再びモーターを逆回転駆動させレバーを引き込むが、予め定めた位置でカムはレバーとの連動からはずれてカバーは本体機器とを連結するように備えられた押し付け手段であるバネの牽引力によって円滑に閉じられることが可能となり、円滑で安定した開閉動作が実現できる。
【００１５】
第３の発明は、前記カバーを開閉する突き出し手段をカバーの中央部に近い部分に位置させることで幅が広く重いカバーでも小さなモーター駆動力でも円滑な開閉動作を可能にし、耐久性に優れた安定したカバーの開閉が実現できる。
【００１６】
第４の発明は、前記カバーを閉じるための押し付け手段をカバー両端部近傍に配設させることで、カバー中央部付近に位置する押し出し手段との双方向のバランスを常時保つことができ、幅の広いカバーにゆがみやねじれによる隙間を生じさせることなく安定したカバーの開閉が実現できる。
【００１７】
第５の発明は、カムの回転に連動してレバーがカバーを開放し、レバーの一部がスイッチを押すことで開放運動を停止する。一方、開放状態から冷却手段の停止情報をマイコン制御部が受けてモーター駆動を開始し決められた一でレバーガカムとの連動から外れてカバーと本体の取り付けられていたバネの力でカバーは閉じられる。ここでカムの回転方向がどちらであろうと連動動作するレバーの動作は同じとなる機構を有することで、双方向に駆動する一般的なモーターを使用することが可能となり、耐久性に優れた品質の安定した開閉機構が実現できる。
【００１８】
第６の発明は、機器下方に備えられた調理器で発生した火災などの異常時に本体機器に備えられた異常温度感知手段によって送られた信号により循環ファン動作と同時に排気口カバーも開放状態で停止することで火災による炎が循環ファンの吸い込み動作によって機器本体内部へ侵入することを防ぐのみならず、開放状態の排気口カバーが機器表面を伝わり機器上方の収納棚へ類焼することを防ぐことが可能となり、火災などの異常発生時に安全性を大幅に向上することが実現できる。
【００１９】
第７の発明は、外的要因によって強制的にカバーが閉じられた時、循環ファンは排気口が塞がれるためモーターが過負荷状態となり加熱しそのまま動作を継続すると故障に至るが、カバーと連動動作するレバーによってON状態のスイッチがOFFとなりその信号をマイコン制御部が読取りファン動作を停止することが可能となり、循環ファンの過熱による故障を防ぐことが実現できる。
【００２０】
第８の発明は、外的要因によって強制的にカバーが閉じられた時、循環ファンは排気口が塞がれるためモーターが過負荷状態となり加熱しそのまま動作を継続すると故障に至るが、カバーと連動動作するレバーによってON状態のスイッチがOFFとなりその信号をマイコン制御部が読取ることで機器表示部に図８に示すように“CHECK  GRILL”とか“GRILL  MALFUNCTION”などの開閉異常状態を表示し使用者に容易に異常個所を知らせることが可能となり、異常状態の早期発見によって故障の最小限化や部品サービス性の向上が実現できる。
【００２１】
第９の発明は、加熱手段動作中外的要因によって強制的にカバーが閉じられた時、加熱手段の冷却能力は不十分となるが加熱手段を制御することで加熱出力を低下させ低い冷却能力でも動作保証することが可能となり加熱手段動作を停止させることなく継続した調理が可能となり、調理中の異常時でも動作を停止することなく調理を完了することが実現できる。また図９に示すようにマイコンにより異常発生から調理終了までの残り時間と、加熱出力低下後の非加熱物への総加熱量を考慮し、正常動作時と同じ調理結果が得られるような補正計算に基づく加熱制御を行うことで、異常発生時においても安定した調理性能を実現できる。
【００２２】
第10の発明は、カバー開放状態の加熱動作中に外的要因によって強制的にカバーが閉じられた場合、加熱出力の制御を行うことで加熱手段動作を停止させることなく継続した調理を行うことができる。この時カバーと連動動作するレバーによってON状態のスイッチがOFFとなりその信号をマイコン制御部が読取り機器動作表示部に図８に示すように”COOKING  TIME  ADJUSTED”や“CHECK  GRILL”や“GRILL  MALFUNCTION”などの開閉異常状態を表示し使用者に容易に異常個所や調理経過情報を知らせることが可能となり、異常状態の早期発見によって故障の最小限化や部品サービス性の向上が実現できる。
【００２３】
（実施の形態１）
図１は、本発明の第１の実施の形態における自動開閉装置を備えた排気口カバーを有するレンジフード付高周波加熱装置の設置状態の図を示すものである。
【００２４】
図４は、排気口カバーの構造を従来例との比較において示す図である。
【００２５】
図５は、本発明の排気口カバーの自動開閉構造を示す図である。
【００２６】
図６は、本発明の排気口カバーの最適開放角度を実現するために、構造物であるカムとレバーの動作原理を示す図である。
【００２７】
図１において、自動開閉装置を備えた排気口カバー１は下方に設置した調理機器13での調理時に生成されたガス14を循環ファン11によって底面部吸気口12から吸い上げ、回転方向に制約を持たない双方向動作の一般的仕様のモーター２駆動により自動開閉された排気口カバー１開放時に機器本体上面部から室内に排気循環される構成、また加熱手段19動作時に発熱体である電気部品を冷却するための吸気口22を機器本体上部の排気カバー１に配した構成となっている。以上のように構成された自動開閉装置を備えた排気口カバー１を有するレンジフード付高周波加熱装置について、以下にその動作、作用を説明する。
【００２８】
まず、本実施の形態において図５に示すように、機器上部循環ファン排気口６及び冷却手段吸気口22に備えられた通常時閉じられている状態の排気口カバー１をモーター動力２で開閉する際、モーター軸の回転を伝達するカム３と、そのカムの回転動作を受けてカバー１を開閉する力に変換するレバー８と、本体機器とカバー１を連結するように取り付けられ常に閉じようとする方向に力を加えるバネ９を備え、モーター２の回転運動時にその軸に連結したカム３の回転をレバー８に伝えカバー１を所定位置で静止開放する。またカバー１開放位置から再びモーター２駆動させ決められた位置でレバー８をカム３との連動から開放することで備えられたバネ９の牽引力を利用しカバー１を円滑に開閉運動することが可能となる。
【００２９】
また、図６において、排気口カバー１を最適角度で開放静止させるために、前記カム３との連動動作によりレバー８はカバー１を前方に押し出す方向に移動し、予め定めたカバー１の最適開放位置に到達した時レバー８がマイクロスイッチ10を動作させその信号をマイコン制御部23が読み取りモーター２動作を停止する制御構成とすることで、排気口カバー１を最適位置で安定して開放することが可能となる。  また、最適開放位置で静止したカバー１を循環ファン11停止時にその信号をマイコン制御部23から受けモーター２を再駆動する。この時駆動方向に制約は生じず、カム３とレバー８は連動しカバー１を閉じる方向に働きかけるがある位置でその連動からはずれてカバー１は備えられたバネ９の牽引力で完全に閉じられることが可能となり円滑な開閉動作が実現できる。
【００３０】
また、図４に示すように、排気口カバーをモーター駆動とすることで非動作時には排気口を塞ぎ必要時のみ開閉することが出来、外部からのごみやほこりの進入を防ぎ機器内部の衛生度を向上したり、排気口開口部のめずまりを防ぐことができる。
【００３１】
（実施の形態２）
図７は、本発明の実施の形態における排気口カバーの下方調理器での火災発生時における効果を比較において示すものである。
【００３２】
図７において、レンジフード付高周波加熱装置は排気口カバー１と、循環ファンモーター11と、底面部吸気口12と、下方調理機器13で発生した火災を検知する温度感知手段15とを備え、機器上部に収納棚16を配した構成である。
【００３３】
以上のように構成されたレンジフード付高周波加熱装置について、以下にその動作、作用を説明する。
【００３４】
まず図７において下方に設置された調理機器13から火災が発生した時、機器下方に備えられた火災感知手段15が異常を感知し、その信号はマイコン制御部23に送られ循環ファン11動作を停止すると同時に排気口カバー１も開放状態で停止する。これにより火災による炎が循環ファン11の吸い込み動作によって機器本体内部へ侵入することを防ぐのみならず、排気口カバー１が開放状態で停止することで炎が機器表面を伝わり機器上方の収納棚16へ類焼することを防ぐことが可能となり、火災などの異常発生時に安全性を大幅に向上することが実現できる。
【００３５】
また、循環ファン11又は加熱手段19動作時に外的要因で強制的に開放状態のカバー１が閉じられた時循環ファン11の排気口６及び冷却手段吸気口22が塞がれるためモーター２又は加熱手段19が過熱し動作を継続すると故障に至るがカバー１と連動動作するレバー８によってON状態のスイッチ10がOFFとなりその信号をマイコン制御部23が読取りファン11動作を停止することができ、循環ファン11や加熱手段19の過熱による故障を防ぐことが実現できる。
【００３６】
更に、図８に示すように調理中のカバー開閉の異常においては、ON状態のスイッチ10がOFFとなりその信号をマイコン制御部23が読取り機器動作を停止する時、機器本体表示部24に“CHECK  GRILL”や“GRILL  MALFUNCTION”などの開閉異常状態を表示することで使用者に異常個所を知らせることが可能となる。
【００３７】
また、加熱手段19動作中でのカバー１開閉異常の際、カバー１が閉じることで加熱手段19の冷却能力は不十分となるが、加熱手段19を制御することで加熱出力を低下させ低い冷却能力でも動作保証することが可能となり加熱手段19動作を停止させることなく継続した調理が可能となる。また、図９に示すように異常発生時点から本来正常状態で調理終了するまでの残り時間に非加熱物が得られる総加熱量と、加熱出力低下後に非加熱物が得られる総加熱量が同等になるように加熱時間延長の補正計算を行いマイコン制御部23が加熱制御行うことで、正常動作時と同じ調理結果が得られ、調理中のカバー１開閉異常でも加熱動作を停止することなく正常動作状態と同等の調理性能を満足することができる。
【産業上の利用可能性】
【００３８】
以上のように、本発明にかかるレンジフード付高周波加熱装置は、簡単な構成で円滑な安定した開閉動作を可能にし、安全性や耐久性能や外観品位の優れた開閉手段が可能となるので、モーター駆動により自動開閉する構成等の用途にも適用できる。
【図面の簡単な説明】
【００３９】
【図１】本発明の実施の形態における排気口カバーを備えたレンジフード付高周波加熱装置の設置状態を示す図
【図２】本発明の実施の形態における排気口カバーを備えたレンジフード付高周波加熱装置の内部構造を示す図
【図３】従来例のレンジフード付き高周波加熱装置に備えられたモーター駆動力による排気口カバー自動開閉装置の構造を示す図（ａ）カバー閉状態を示す断面図（ｂ）カバー開状態を示す断面図
【図４】排気口カバーの構造を従来例との比較を示す図（ａ）本発明の構造断面図（ｂ）従来の構造断面図
【図５】本発明の排気口カバーの自動開閉構造を示す図（ａ）閉状態を示す断面図（ｂ）開状態を示す断面図
【図６】本発明の排気口カバーの最適開放角度を実現するために、構造物であるカムとレバーの動作原理を示す図（ａ）閉状態を示す図（ｂ）開状態を示す図
【図７】本発明の実施例における排気口カバーの下方調理器での火災発生時における効果比較を示す図（ａ）本発明の構造図（ｂ）従来例の構造図
【図８】本発明の実施例における排気口カバーの異常を知らせる表示を示す図
【図９】本発明の実施例における調理中排気口カバー開閉異常発生時の調理時間補正方法を示す図
【符号の説明】
【００４０】
１  排気口カバー
２  自動開閉モーター
３  カム
3ａ  ボス
４  排気カバー金具
4ａ  スリット
５  排気カバー回転軸
６  循環ファン排気開口部
７  排気風
８  レバー
９  バネ
１０  マイクロスイッチ
１１  循環ファンモーター
１２  底面部吸気口
１３  下方調理機器
１４  調理生成ガス
１５  温度感知手段
１６  収納棚
１８  加熱室
１９  加熱手段
２１  機器取付壁面
２２  冷却手段吸気口
２３  マイコン制御部
２４  機器本体表示部
２５  冷却手段
【図１】
2005077063.tif 000003
【図２】
2005077063.tif 000004
【図３】
2005077063.tif 000005
【図４】
2005077063.tif 000006
【図５】
2005077063.tif 000007
【図６】
2005077063.tif 000008
【図７】
2005077063.tif 000009
【図８】
2005077063.tif 000010
【図９】
2005077063.tif 000011